(57)【要約】【課題】駆動手段の駆動によりスライド部材が突出・収納動作するスライド装置において、駆動手段の故障等の緊急時にはスライド部材を手動操作により収納動作させるのを簡単な機構で可能とする。【解決手段】スライド部材２と、その駆動手段４と、スライド部材２に係合し、駆動手段４の駆動により回動動作することで、スライド部材２を突出・収納動作させるカム部材３と、このカム部材３に対し係合可能で、手動操作により当該カム部材３との係合状態を解除してスライド部材２に対する外力の作用により当該カム部材３を回動動作可能とする操作手段５とを備える。操作手段５は、操作レバー５１と、この操作レバー５１に連結され、駆動手段４の駆動によるスライド部材２の突出時にカム部材３を係合状態に保持し、かつ操作レバー５１の手動操作に連動した回動によりカム部材３との係合状態を解除する係合レバー５３とからなる。【選択図】図１
2006335217.tif 000002
【特許請求の範囲】
【請求項１】
装置本体に対しスライド動作可能に組み付けられたスライド部材を、駆動手段の駆動により突出・収納動作させるスライド装置において、
前記スライド部材に係合し、前記駆動手段の駆動により回動動作することで、前記スライド部材を突出・収納動作させるカム部材と、
このカム部材に対し係合可能で、手動操作により当該カム部材との係合状態を解除して前記スライド部材に対する外力の作用により当該カム部材を回動動作可能とする操作手段とを備えることを特徴とするスライド装置。
【請求項２】
前記操作手段は、操作レバーと、この操作レバーに連結され、前記駆動手段の駆動による前記スライド部材の突出時に前記カム部材を係合状態に保持し、かつ前記操作レバーの手動操作に連動した回動により前記カム部材との係合状態を解除する係合レバーとからなることを特徴とする請求項１に記載のスライド装置。
【請求項３】
装置本体に対しスライド動作可能に組み付けられたスライド部材を、駆動手段の駆動により突出・収納動作させるスライド装置において、
前記スライド部材に係合し、前記駆動手段の駆動により回動動作することで、前記スライド部材を突出・収納動作させるカム部材と、
このカム部材に対し手動操作により係合可能で、当該カム部材を前記スライド部材に対する外力の作用により回動動作可能とする操作手段とを備えることを特徴とするスライド装置。
【請求項４】
前記操作手段は、前記駆動手段の駆動による前記スライド部材の突出状態において、手動操作により前記カム部材に係合して当該カム部材を回動動作させる操作レバーであることを特徴とする請求項３に記載のスライド装置。
【請求項５】
前記スライド部材は、車載表示装置の表示パネルであることを特徴とする請求項１から４のいずれか一項に記載のスライド装置。
【発明の詳細な説明】
【技術分野】
【０００１】
本発明は、スライド装置に関する。
【背景技術】
【０００２】
例えば車載電子装置や車載表示装置において、スライド式のフロントパネルや表示パネルが上方に突出動作する場合、ラックピニオン機構やネジ送り機構またはリンク機構等を用いてスライドガイドされつつモータにより駆動される（例えば特許文献１参照）。
そして、パネルの突出時及び収納時において、外力や振動に対しパネルをロック状態に保持するため、モータ駆動による動作のみとして手動操作を不可能としていた。
【特許文献１】特開平７−７８４６１号公報
【発明の開示】
【発明が解決しようとする課題】
【０００３】
ところで、パネルの突出時において、例えばモータ故障等の緊急時にはパネルを手動操作により収納動作させることが要求される。そのため、パネルのロック状態を解除する機構を設けることが考えられるが、複雑なロック解除機構を追加したのではコストが高くなってしまう。
【０００４】
本発明の課題は、駆動手段の駆動によりスライド部材が突出・収納動作するスライド装置において、駆動手段の故障等の緊急時にはスライド部材を手動操作により収納動作させるのを簡単な機構で可能とすることである。
【課題を解決するための手段】
【０００５】
以上の課題を解決するため、請求項１に記載の発明は、装置本体に対しスライド動作可能に組み付けられたスライド部材を、駆動手段の駆動により突出・収納動作させるスライド装置において、前記スライド部材に係合し、前記駆動手段の駆動により回動動作することで、前記スライド部材を突出・収納動作させるカム部材と、このカム部材に対し係合可能で、手動操作により当該カム部材との係合状態を解除して前記スライド部材に対する外力の作用により当該カム部材を回動動作可能とする操作手段とを備えることを特徴とする。
【０００６】
請求項２に記載の発明は、請求項１に記載のスライド装置であって、前記操作手段は、操作レバーと、この操作レバーに連結され、前記駆動手段の駆動による前記スライド部材の突出時に前記カム部材を係合状態に保持し、かつ前記操作レバーの手動操作に連動した回動により前記カム部材との係合状態を解除する係合レバーとからなることを特徴とする。
【０００７】
請求項３に記載の発明は、装置本体に対しスライド動作可能に組み付けられたスライド部材を、駆動手段の駆動により突出・収納動作させるスライド装置において、前記スライド部材に係合し、前記駆動手段の駆動により回動動作することで、前記スライド部材を突出・収納動作させるカム部材と、このカム部材に対し手動操作により係合可能で、当該カム部材を前記スライド部材に対する外力の作用により回動動作可能とする操作手段とを備えることを特徴とする。
【０００８】
請求項４に記載の発明は、請求項３に記載のスライド装置であって、前記操作手段は、前記駆動手段の駆動による前記スライド部材の突出状態において、手動操作により前記カム部材に係合して当該カム部材を回動動作させる操作レバーであることを特徴とする。
【０００９】
請求項５に記載の発明は、請求項１から４のいずれか一項に記載のスライド装置であって、前記スライド部材は、車載表示装置の表示パネルであることを特徴とする。
【発明の効果】
【００１０】
本発明によれば、操作手段を手動操作すると、駆動手段の駆動により回動動作してスライド部材を突出・収納動作させるカム部材と操作手段との係合状態を解除し、またはカム部材に操作手段が係合することで、スライド部材を押せばカム部材が回動動作する簡単な機構をもって、駆動手段の故障等の緊急時には手動操作によりスライド部材を収納動作できる。
【発明を実施するための最良の形態】
【００１１】
以下、図を参照して本発明を実施するための最良の形態を詳細に説明する。
〔第１実施形態〕
本発明を適用したスライド装置の第１実施形態の構成を示す図１から図４において、１はケース（装置本体）、２は表示パネル（スライド部材）、３はカム部材、４はモータ（駆動手段）、５は操作手段である。
【００１２】
装置本体をなすケース１の上部内には上下方向のガイド１１が左右一対設けられており、この左右のガイド１１に沿ってスライド部材をなす表示パネル２が上下方向にスライド動作可能で上方に突出可能に組み付けられている。
表示パネル２の上面にはパネルスイッチ２１が設けられており、表示パネル２はケース１との間に架設した引張バネ１２により常時した方向に付勢されている。この表示パネル２の下方にカム部材３が配置されている。
【００１３】
カム部材３は、表示パネル２の下面に当接する楕円形等の長円形の外周面によるカムプロフィールを有し、その長径側の一端寄りを回転軸３１としたものである。このカム部材３は、駆動手段をなすモータ４により回転駆動される。
すなわち、モータ４は、そのモータ軸上に駆動ギア４１を備えている。この駆動ギア４１に中間ギア４２を介して被動ギア４３が噛み合っており、この被動ギア４３はカム部材３の回転軸３１に一体に備えられている。
【００１４】
そして、図２に示したように、カム部材３の長径方向を垂直方向とした状態において、被動ギア４３の左側に係合ピン３２が設けられている。さらに、カム部材３の長径方向の両端部には検出用凸部３３・３４が設けられている。
また、ケース１内には検出用凸部３３・３４にそれぞれ対応する検出スイッチ１３・１４が設けられている。
【００１５】
以上の表示パネル２及びカム部材３の図示では左側方に操作手段５が配置されている。
操作手段５は、ケース１の左側部に上下方向にスライド動作可能に組み付けられて上端部が突出する操作レバー５１と、この操作レバー５１の下端部に連結軸５２を介して連結された係合レバー５３とからなる。
この係合レバー５３は、支軸５４を中心に回動可能であり、その支軸５４を挟んで操作レバー５１と反対側に係合溝５５を有している。この係合溝５５に、長径方向を垂直方向とした状態のカム部材３１の係合ピン３２が係合可能である。
そして、係合レバー５３に設けた突出部５６とケース１との間に反転バネ５７が架設されている。また、ケース１内には突出部５６の両側方に位置するストッパピン１５・１６が設けられている。
【００１６】
次に、以上の構成による表示パネル２のスライド装置の動作について説明する。
図１及び図３に示される表示パネル２の収納状態（クローズ状態）において、カム部材３は長径方向を水平方向として横に寝かした状態にあり、その上面に表示パネル２が当接している。この時、係合レバー５３は反転バネ５７により支軸５４を中心に図示反時計回りに付勢されて、突出部５６がストッパピン１６に押し当てられている。
そして、表示パネル２上面のパネルスイッチ２１を押すと、モータ４の駆動により駆動ギア４１、中間ギア４２、被動ギア４３及び回転軸３１を介してカム部材３が図示反時計回りに回転する。このカム部材３の回転により、その上面に当接した表示パネル２が引張バネ１２の付勢に抗して持ち上げられ、ガイド１１に沿って上方に突出動作して、図２及び図４に示されるように、表示パネル２が突出状態（オープン状態）になる。
【００１７】
この時、図示のように、検出用凸部３４により検出スイッチ１４がオンして、モータ４の駆動が停止すると同時に、カム部材３の係合ピン３２が係合レバー５３の係合溝５５に入った状態になる。
すなわち、カム部材３の図示反時計回りへの回転による係合ピン３２の係合溝５５への進入により、係合レバー５３が支軸５４を中心に図示時計回りに回転し、突出部５６が反転バネ５７の付勢によりストッパピン１５に押し当てられると同時に、係合レバー５３に連結ピン５２を介して連結された操作レバー５１が上方にスライド移動して、その上端部がケース１の上方に突出している。
以上の表示パネル２の突出状態において、カム部材３が長径方向を垂直方向として縦に起こした状態となり、カム部材３の圧力角が０になる。従って、外力の作用や振動に対しても表示パネル２が安定に保持される。
【００１８】
こうした表示パネル２の突出状態において、その上面のパネルスイッチ２１を押すと、モータ４の逆転駆動により駆動ギア４１、中間ギア４２、被動ギア４３及び回転軸３１を介してカム部材３が図示時計回りに回転すると同時に、その上面に当接した表示パネル２が引張バネ１２の付勢によりガイド１１に沿って下方に収納動作する。
そして、図１及び図３に示したように、表示パネル２が収納状態になる。
この時、図示のように、検出用凸部３３により検出スイッチ１３がオンして、モータ４の駆動が停止する。
以上の表示パネル２の収納状態において、カム部材３が長径方向を水平方向として横に寝かした状態となり、カム部材３の圧力角が０になる。従って、外力の作用や振動に対しても表示パネル２が安定に保持される。
【００１９】
また、表示パネル２の突出状態において、操作レバー５１を押すと、その下端部の連結ピン５２を介して係合レバー５３が支軸５４を中心に図示反時計回りに回転し、係合溝５５内の係合ピン３２を持ち上げる。これにより、カム部材３が回転軸３１を中心に図示時計回りに若干回転する。
そして、係合溝５５から係合ピン３２が外れると同時に、図１及び図３に示されるように、係合レバー５３は反転バネ５７の付勢により突出部５６がストッパピン１６に押し当てられた状態になる。
従って、表示パネル２の上面を押せば、その下面に当接するカム部材３がさらに図示時計回りに回転していき、図１及び図３に示すように、カム部材３が長径方向を水平方向として横に寝かした状態になり、すなわち、表示パネル２が収納状態になる。
【００２０】
次に、カム部材３の圧力角について説明する。
図５はカム部材３の圧力角を示した動作説明図で、圧力角θ＞０の場合を示している。この時、点Ｐにおける外力Ｆにより、カム部材３に回転軸３１の中心Ｏｃ回りに回転力ＴＦが働くため、表示パネル２は下降可能となる。
すなわち、操作レバー５１を外力ｆで下降すると、係合レバー５３が支軸５４の中心Ｏｒ回りに回転力Ｔｆで回動し、係合溝５５内の係合ピン３２が持ち上げられ、カム部材３が中心Ｏｃ回りに図示時計回りに若干回転し、圧力角θ＞０となる。従って、表示パネル２が下降操作可能となる。
【００２１】
図６は表示パネル２のオープン状態（突出状態）におけるカム部材３の圧力角=０の状態を示した図である。この時、長径方向を垂直方向として縦に起こした状態のカム部材３において、表示パネル２との接触点Ｐにおける圧力角＝０となり、外力Ｆの作用でもカム部材３に回転力が生じない。
なお、図中、Ｓ２は、中心Ｏｃから点Ｐまでの半径Ｒ２として、単一Ｒ２の範囲を示している。
このように、表示パネル２のオープン状態において、外力や振動でも表示パネル２は下降不可能で固定状態に安定して保持される。
【００２２】
図７は表示パネル２のクローズ状態（収納状態）におけるカム部材３の圧力角=０の状態を示した図である。この時も、長径方向を水平方向として横に寝かした状態のカム部材３において、表示パネル２との接触点Ｐにおける圧力角＝０であり、外力Ｆの作用でもカム部材３に回転力が生じない。
なお、図中、Ｓ１は、中心Ｏｃから点Ｐまでの半径Ｒ１として、単一Ｒ１の範囲を示している。
このように、表示パネル２のクローズ状態においても、表示パネル２は固定状態に安定して保持される。
【００２３】
以上のとおり、小さな外力ｆでカム部材３の圧力角θを生じさせることで、表示パネル２の手動操作による下降動作が行える。
【００２４】
〔第２実施形態〕
図８及び図９は第２実施形態を示すもので、図中、１はケース（装置本体）、２は表示パネル（スライド部材）、６はカム部材、７はモータ（駆動手段）、８は操作レバー（操作手段）である。
この第２実施形態において、ケース（装置本体）１、ガイド１１、引張バネ１２、表示パネル（スライド部材）２、パネルスイッチ２１等は前述した第１実施形態と同様であり、図示右側のガイド１１の上下に検出スイッチ１７・１８が設けられている。
【００２５】
カム部材６は、表示パネル２の下面に当接する半円形を有するアーム状のもので、その半円部と他端側に回転軸６１を有している。このカム部材６は、駆動手段をなすモータ７により駆動されるリンク機構の一部をなす。
すなわち、モータ７は、そのモータ軸上に駆動ギア７１を備えている。この駆動ギア７１に中間ギア７２を介して被動ギア７３が噛み合っており、この被動ギア７３にはアーム７４が一体に備えられている。このアーム７４の先端部に回転軸６１を介してカム部材６が連結されており、これによりリンク機構が構成されている。
【００２６】
そして、表示パネル２及びカム部材６の図示では左側方に操作手段８が配置されている。
操作手段８は、ケース１の左側部に水平方向にスライド動作可能に組み付けられて先端部が図示左側のガイド１１より右側に突出する操作レバーである。この操作レバー８は、図９に示すように、被動ギア７３、アーム７４及びカム部材６が垂直に並んだ状態において、カム部材６の下端部側方に位置している。
【００２７】
図８は表示パネル２の収納状態であり、カム部材６は傾いた状態となってその半円部に表示パネル２が当接しており、カム部材６の回転軸６１に連結されたアーム７４も傾いた状態となっている。
そして、表示パネル２上面のパネルスイッチ２１を押すと、モータ７の駆動により駆動ギア７１、中間ギア７２を介して被動ギア７３及びアーム７４が図示反時計回りに回転すると同時に、そのアーム７４の上端部で回転軸６１を介してカム部材６が図示時計回りに回転する。このカム部材６の回転により、その半円部に当接した表示パネル２が引張バネ１２の付勢に抗して持ち上げられ、ガイド１１に沿って上方に突出動作して、図９に示されるように、表示パネル２が突出状態（オープン状態）になる。
【００２８】
この時、図示のように、表示パネル２の下端部の上方への通過によりガイド１１の上部の検出スイッチ１７がオフになって、モータ７の駆動が停止する。
この表示パネル２の突出状態において、カム部材６がアーム７４と垂直に並んだ状態となり、カム部材６の圧力角θ＝０になる。従って、外力の作用や振動に対しても表示パネル２が安定に保持される。
【００２９】
こうした表示パネル２の突出状態において、その上面のパネルスイッチ２１を押すと、モータ７の逆転駆動により駆動ギア７１、中間ギア７２を介して被動ギア７３及びアーム７４が図示時計回りに回転して傾く一方、そのアーム７４の上端部で回転軸６１を介してカム部材６が図示反時計回りに回転して傾くと同時に、その上面に当接した表示パネル２が引張バネ１２の付勢によりガイド１１に沿って下方に収納動作する。
そして、図８に示したように、表示パネル２が収納状態になる。
この時、図示のように、表示パネル２の下端部によりガイド１１の下部の検出スイッチ１８がオンして、モータ７の駆動が停止する。
【００３０】
また、表示パネル２の突出状態において、操作レバー８を押すと、その下端部がカム部材６の下端部を側方から押す。これにより、カム部材６が回転軸６１を中心に図示反時計回りに若干回転して僅かに傾くと同時に、被動ギア７３及びアーム７４が図示時計回りに若干回転して僅かに傾く。
従って、表示パネル２の上面を押せば、その下面に半円部が若干傾いて当接するカム部材６がさらに図示反時計回りに回転していき、図２に示すように、カム部材６及びアーム７４が互いに折畳まれるように傾斜した状態になり、すなわち、表示パネル２が収納状態になる。
【００３１】
このように、表示パネル２の突出状態において、リンク機構を構成するアーム状のカム部材６及びアーム７４の垂直に並んだ配置でカム部材６の圧力角θ＝０の効果が得られ、操作レバー８を押すことで、カム部材６の圧力角θ≠０にして、表示パネル２の手動操作による収納動作が可能となる。
【００３２】
なお、以上の実施形態においては、スライド部材が上方に突出するスライド装置としたが、本発明はこれに限定されるものではなく、下方に突出するスライド部材や水平方向に突出するスライド部材であっても良い。
また、実施形態では、車載表示装置の表示パネルとしたが、他の車載電子装置のフロントパネル等であっても良い。
さらに、スライド装置は車載用に限らず他の一般装置など適用も任意であり、その他、具体的な細部構造等についても適宜に変更可能であることは勿論である。
【図面の簡単な説明】
【００３３】
【図１】本発明を適用したスライド装置の第１実施形態の構成を示すもので、スライド部材の収納状態を示した正面図である。
【図２】図１のスライド部材の突出状態を示した図である。
【図３】図１に対応した斜視図である。
【図４】図２に対応した斜視図である。
【図５】カム部材の圧力角を示した動作説明図である。
【図６】図２のスライド部材の突出状態におけるカム部材の圧力角=０の状態を示した図である。
【図７】図１のスライド部材の収納状態におけるカム部材の圧力角=０の状態を示した図である。
【図８】本発明を適用したスライド装置の第２実施形態の構成を示すもので、スライド部材の収納状態を示した正面図である。
【図９】図８のスライド部材の突出状態を示した正面図（ｂ）である。
【符号の説明】
【００３４】
１  ケース（装置本体）
１１  ガイド
１２  引張バネ
２  表示パネル（スライド部材）
２１  パネルスイッチ
３  カム部材
３１  回転軸
３２  係合ピン
４  モータ（駆動手段）
４１・４２・４３  ギア
５  操作手段
５１  操作レバー
５３  係合レバー
５５  係合溝
５７  反転バネ
６  カム部材
６１  回転軸
７  モータ（駆動手段）
７１・７２・７３  ギア
７４  アーム
８  操作レバー（操作手段）
【図１】
2006335217.tif 000003
【図２】
2006335217.tif 000004
【図３】
2006335217.tif 000005
【図４】
2006335217.tif 000006
【図５】
2006335217.tif 000007
【図６】
2006335217.tif 000008
【図７】
2006335217.tif 000009
【図８】
2006335217.tif 000010
【図９】
2006335217.tif 000011